(57)【特許請求の範囲】
【請求項１】
ツール部材（１）、ばね体（２）、把持板（３）及びホルダー部材（４）からなるものとし、ツール部材（１）は、上部を非嵌合部（１ａ）とし、中間部を嵌合部（１ｂ）とし、下部をビット部（１ｃ）としており、ばね体（２）は、ツール部材（１）の少なくとも非嵌合部（１ａ）が内部に配置されるようにしており、把持板（３）は、板厚を１〜３ｍｍにしており、ツール部材（１）の非嵌合部（１ａ）の上部に設けた周溝（７）にばね体（２）の上端（２ａ）を支持させ、ツール部材（１）のビット部（１ｃ）を、把持板（３）の一端に形成された嵌合孔（５）に貫通させ、ツール部材（１）の嵌合部（１ｂ）がこの嵌合孔（５）に嵌まり込む位置になるように、ばね体（２）の弾力が作用するようにして、ばね体（２）の下端（２ｂ）を把持板（３）の上面に当接させ、さらに把持板（３）の嵌合孔（５）から下方に突き出したツール部材（１）の嵌合部（１ｂ）にホルダー部材（４）を取り付けているオフセット型ドライバーであって、前記ツール部材（１）を指で下方に押さえると、前記非嵌合部（１ａ）は、前記把持板（３）の一端に貫通形成した嵌合孔（５）に位置して回転可能となるようにしており、前記ツール部材（１）を下方に押さえている指の力を抜くと、前記嵌合部（１ｂ）は、把持板（３）の一端に貫通形成した嵌合孔（５）に嵌まり込み、嵌まり込んでいるときは回動不能になるようにしていることを特徴とするオフセット型ドライバー。
【請求項２】
前記ツール部材（１）は、嵌合部（１ｂ）の下部にホルダー部材（４）を嵌め込んでおくための嵌合溝（６）を設けていることを特徴とする請求項１記載のオフセット型ドライバー。
【請求項３】
前記ツール部材（１）の上端に、このツール部材（１）を早回しするための摘み体（９）を設けていることを特徴とする請求項１記載のオフセット型ドライバー。
【発明の詳細な説明】
【技術分野】
【０００１】
この発明は、狭い作業空間において、ビス等を捩じ込んだり緩めたりするのに適したオフセット型ドライバーに関するものである。
【背景技術】
【０００２】
従来、この種のオフセット型ドライバーとしては、例えば図１３、１４に示したように、ラチェット機構１０を装着したものが存在する。
【０００３】
このオフセット型ドライバーは、二枚の板体１１ａ、１１ｂの間に隙間Ｓを設けてなるレバー１１の先端部において、ビットホルダー１２を直角方向に軸支したものとしている。このビットホルダー１２は、プラス、マイナス等の各種のビット１３を着脱することができるようにしている。
【０００４】
そして、レバー１１の二枚の板体１１ａ、１１ｂの隙間Ｓには、前記ラチェット機構１０が装着されている。このラチェット機構１０によりビットホルダー１２を正逆回転可能なものにしている。
【０００５】
さらに、レバー１１の下側において、ビットホルダー１２の側部には、早回し用の摘み体１４を取り付けたものとしている（特許文献１）。
【０００６】
このように構成した従来のオフセット型ドライバーは、ビットホルダー１２を取り付けたレバー１１の先端部の高さ寸法が小さいものとなるので、狭い作業空間にレバー１１の先端部を差し込むことができるものとなり、この狭い作業空間においてビス等を捩じ込んだり緩めたりする作業を可能なものにしている。
【０００７】
さらに、この種のオフセット型ドライバーとしては、例えば図１５〜１７に示したように、ラチェット機構を装着していないものが存在する。
【０００８】
このオフセット型ドライバーは、短寸のツール部材２１、板厚ｔとした把持板２２、及びＣリングとしたホルダー部材２３とからなるものとしている。
【０００９】
ツール部材２１は、上部を頭部２１ａとし、中間部を嵌合部２１ｂとし、下部をビット部２１ｃとし、嵌合部２１ｂに把持板２２の板厚ｔと略同一の間隔をあけてリング状の係止溝２４ａ、２４ｂを凹設している。
【００１０】
把持板２２は、先端部にツール部材２１の嵌合部２１ｂが回動不能に嵌り込む嵌合孔２５を貫通形成している。
【００１１】
ホルダー部材２３は、ツール部材２１の嵌合部２１ｂに凹設した係止溝２４ａ、２４ｂにそれぞれ嵌り込む内径を有するものとしている。
【００１２】
そして、把持板２２の嵌合孔２５にツール部材２１を挿入し、このツール部材２１の嵌合部２１ｂの係止溝２４ａ、２４ｂの間に把持板２２を配置するようにして、これら係止溝２４ａ、２４ｂにホルダー部材２３をそれぞれ嵌め込むことにより、ツール部材２１を把持板２２に回動不能に保持したものとしている（特許文献２）。
【００１３】
このように構成した従来のオフセット型ドライバーは、前記従来のラチェット機構を装着したものより、ツール部材２１を取り付けた把持板２２の先端部の高さ寸法が小さいものとなるので、さらに狭い作業空間に把持板２２の先端部を差し込むことができるものとなり、この狭い作業空間においてビス等を捩じ込んだり緩めたりする作業を可能なものにしている。
【先行技術文献】
【特許文献】
【００１４】
【特許文献１】特開平１１ー３３３７４０号公報
【特許文献２】実用新案登録第３１３８５５７号公報
【発明の概要】
【発明が解決しようとする課題】
【００１５】
上記従来のオフセット型ドライバーでは、狭い作業空間において、例えばビス等を捩じ込んでいく場合には、そのビス等の頭部に、ビットホルダー１２に取り付けたビット１３を嵌め込み、レバー１１を捩じ込み方向に回転させて行けばよい。
【００１６】
しかしながら、図１５〜１７に示した従来のオフセット型ドライバーでは、狭い作業空間においては、把持板２２を捩じ込み方向に何度も回転させることができず、少しの角度ずつしか回転させて行けない場合がある。この場合、ツール部材２１のビット部２１ｃをビス等の頭部に嵌め込んだり、外したりする作業を何度も繰り返して行かねばならず、ビス等の捩じ込み作業に非常に手間がかかるという課題を有していた。
【００１７】
この点、図１３、１４に示した従来のオフセット型ドライバーでは、狭い作業空間において、把持板２２であるレバー１１を捩じ込み方向に少しの角度ずつしか回転させて行けない場合にも、ラチェット機構１０が装着されているので、ビットホルダー１２を空回しすることができ、ビットホルダー１２に取り付けたビット１３をビス等の頭部から外す作業をしなくてもよくなるが、このラチェット機構１０を、レバー１１を構成する二枚の板体１１ａ、１１ｂの間の隙間Ｓに装着しているため、ドライバー自体の嵩が高くなり、狭い作業空間においてはビス等の捩じ込み作業がし難くなるという課題を有していた。
【００１８】
そこで、この発明は、上記従来のオフセット型ドライバーの課題を解決するものであり、ラチェット機構を装着しないでもビットホルダーを空回しすることができ、しかも把持板を一枚の板体で構成することにより嵩の低いオフセット型ドライバーを提供することを目的としてなされたものである。
【課題を解決するための手段】
【００１９】
そのため、この発明のオフセット型ドライバーは、ツール部材１、ばね体２、把持板３及びホルダー部材４からなるものとし、ツール部材１は、上部を非嵌合部１ａとし、中間部を嵌合部１ｂとし、下部をビット部１ｃとしており、ばね体２は、ツール部材１の少なくとも非嵌合部１ａが内部に配置されるようにしており、把持板３は、板厚を１〜３ｍｍにしており、ツール部材１の非嵌合部１ａの上部に設けた周溝７にばね体２の上端２ａを支持させ、ツール部材１のビット部１ｃを、把持板３の一端に形成された嵌合孔５に貫通させ、ツール部材１の嵌合部１ｂがこの嵌合孔５に嵌まり込む位置になるように、ばね体２の弾力が作用するようにして、ばね体２の下端２ｂを把持板３の上面に当接させ、さらに把持板３の嵌合孔５から下方に突き出したツール部材１の嵌合部１ｂにホルダー部材４を取り付けたものであって、前記ツール部材１を指で下方に押さえると、前記非嵌合部１ａは、前記把持板３の一端に貫通形成した嵌合孔５に位置して回転可能となるようにしており、前記ツール部材１を下方に押さえている指の力を抜くと、前記嵌合部１ｂは、把持板３の一端に貫通形成した嵌合孔５に嵌まり込み、嵌まり込んでいるときは回動不能になるようにしている。
【００２１】
さらに、この発明のオフセット型ドライバーにおいて、前記ツール部材１は、嵌合部１ｂの下部にホルダー部材４を嵌め込んでおくための嵌合溝６を設けている。
【００２２】
また、この発明のオフセット型ドライバーにおいて、前記ツール部材１の上端に、このツール部材１を早回しするための摘み体９を設けている。
【発明の効果】
【００２３】
この発明のオフセット型ドライバーは、以上に述べたように構成されており、ラチェット機構を装着しないでもビットホルダーを空回しすることができるので、狭い作業空間においてのビス等の捩じ込み作業が非常にスムーズに行なうことができる。
【００２４】
さらに、この発明のオフセット型ドライバーは、把持板を一枚の板体で構成することにより嵩の低いものとなったので、狭い作業空間においてのビス等の捩じ込み作業が非常にスムーズに行なうことができる。
【図面の簡単な説明】
【００２５】
【図１】この発明のオフセット型ドライバーの一実施形態を示す斜視図である。
【図２】図１に示すこの発明のオフセット型ドライバーの分解斜視図である。
【図３】図１に示すこの発明のオフセット型ドライバーの平面図である。
【図４】図１に示すこの発明のオフセット型ドライバーのツール部材が捩じ込み位置にあるときの側面図である。
【図５】図４に示すこの発明のオフセット型ドライバーの縦断面図である。
【図６】図１に示すこの発明のオフセット型ドライバーのツール部材が戻し位置にあるときの側面図である。
【図７】図６に示すこの発明のオフセット型ドライバーの縦断面図である。
【図８】この発明のオフセット型ドライバーの他の実施形態を示す斜視図である。
【図９】図８に示すこの発明のオフセット型ドライバーの分解斜視図である。
【図１０】図８に示すこの発明のオフセット型ドライバーの平面図である。
【図１１】図８に示すこの発明のオフセット型ドライバーのツール部材が捩じ込み位置にあるときの側面図である。
【図１２】図８に示すこの発明のオフセット型ドライバーのツール部材が戻し位置にあるときの側面図である。
【図１３】従来のオフセット型ドライバーの一例を示す一部切欠側面図である。
【図１４】図１３に示す従来のオフセット型ドライバーの底面図である。
【図１５】従来のオフセット型ドライバーの他の例を示す斜視図である。
【図１６】図１５に示す従来のオフセット型ドライバーの分解斜視図である。
【図１７】図１５に示す従来のオフセット型ドライバーの側面図である。
【発明を実施するための形態】
【００２６】
以下、この発明のオフセット型ドライバーを実施するための形態を、図面に基づいて詳細に説明する。
【００２７】
この発明のオフセット型ドライバーは、図１〜５に示したように、ツール部材１、ばね体２、把持板３及びホルダー部材４からなるものとしている。
【００２８】
ツール部材１は、上部を非嵌合部１ａとし、中間部を嵌合部１ｂとし、下部をビット部１ｃとしている。非嵌合部１ａは、後に述べる把持板３の一端に貫通形成した嵌合孔５に位置しているときに回転可能となるようにしており、さらに後に述べるばね体２の上端２ａを支持するものとしている。嵌合部１ｂは、後に述べる把持板３の一端に貫通形成した嵌合孔５に嵌まり込む形状にし、嵌まり込んでいるときは回動不能になるようにしており、この嵌合部１ｂの下部には、後に述べるホルダー部材４を嵌め込んで取り付けておくための嵌合溝６を設けている。ビット部１ｃは、図示したものでは六角頭を有したものとしているが、プラス頭、マイナス頭、六角穴など、捩じ込み作業に適した頭部を有したものとすることができる。
【００２９】
そして、非嵌合部１ａは、把持板３に貫通形成した嵌合孔５より小径の円柱形状にするなどして、その嵌合孔５内において回転可能になるようにしており、上端にはばね体２の上端２ａを支持するための周溝７を設けている。さらに、嵌合部１ｂは、図示したものでは非嵌合部１ａに延設し、この非嵌合部１ａより大径の六角柱状としているが、四角柱、八角柱などの角柱状とすることができる。
【００３０】
ばね体２は、弾性線材を螺旋状に円柱形状や円錐形状に巻いた圧縮コイルばねとしており、ツール部材１の少なくとも非嵌合部１ａが内部に配置されるようにしており、上端２ａを非嵌合部１ａの上部の周溝７に嵌め込んで支持されると共に、下端２ｂを把持板３の上面に当接するようにして、ツール部材１を上方に持ち上げた状態で支持しておくようにしている。
【００３１】
把持板３は、細長の金属板等からなり、使用者が片手で持てる程度の寸法、例えば５〜２０ｃｍ程度にしており、その一端には前記嵌合孔５が貫通形成されている。この嵌合孔５は、例えば六角孔として、前記ツール部材１の嵌合部１ｂが嵌まり込んでいるときは、このツール部材１が回動不能になるように、その嵌合部１ｂが嵌り込む形状、寸法としている。なお、嵌合孔５は、ツール部材１の嵌合部１ｂを四角柱、八角柱などの六角柱以外の角柱状にした場合には、その角柱に応じた角孔とするのはいうまでもない。
【００３２】
さらに、把持板３は、その他端にも嵌合孔８を貫通形成したものとすることができる。この嵌合孔８は、角ボルトや角ナット等を捩じ込んだり緩めたりするために設けられており、その角ボルトや角ナット等が嵌まり込むように、その角ボルトや角ナット等に応じた四角孔、六角孔、八角孔などとしている。なお、把持板３の板厚は、１〜３ｍｍ程度にすることができるが、ドライバーとして使用できる強度を有する板厚であれば特に限定されない。
【００３３】
ホルダー部材４は、図示したように、弾性ゴムなどの伸縮性部材からなるＯリングとしたり、図示していないが、硬鋼線などの弾性線材からなるＣリングとしており、ツール部材１の嵌合部１ｂに設けた嵌合溝６に着脱自在として、嵌め込めるようにしている。
【００３４】
そして、ホルダー部材４は、ツール部材１の嵌合溝６に嵌め込んだ状態では、その外周部が突き出すようにし、ツール部材１が把持板３の嵌合孔５から抜けないようにしている。なお、ホルダー部材４は、ツール部材１の嵌合溝６に着脱自在としているので、この嵌合溝６から外すことにより、ツール部材１を把持板３の嵌合孔５から引き抜くことができ、このツール部材１をビット部１ｃの頭部形状が異なる別のものに取り替えることができる。
【００３５】
さらに、この発明のオフセット型ドライバーは、図８〜１１に示したように、ツール部材１、ばね体２、把持板３及びホルダー部材４とからなるものとしている。そして、ツール部材１の上端には、このツール部材１を早回しするための摘み体９を設けたものとしている。
【００３６】
ツール部材１、ばね体２、把持板３及びホルダー部材４は、図１〜５に示したものと同様に構成されているで、それらの詳細な構成の説明は省略する。
【００３７】
摘み体９は、側部にローレット加工をした円盤状の金属材や硬質合成樹脂材などからなり、無理嵌めしたり、固着することにより、ツール部材１の上端から外れないようにしている。
【００３８】
以上に述べたような構成部材からなるこの発明のオフセット型ドライバーを組み立てるには、次のようにして行なう。
【００３９】
先ず、ツール部材１の非嵌合部１ａの上部に設けた周溝７に、ばね体２の上端２ａを支持させる。
【００４０】
そして、ツール部材１のビット部１ａを、把持板３の一端に形成された嵌合孔５に貫通させ、ツール部材１の嵌合部１ｂがこの嵌合孔５に嵌まり込む位置になるように、ばね体２の弾力が作用するようにして、ばね体２の下端２ｂを把持板３の上面に当接させる。
【００４１】
さらに、把持板３の嵌合孔５から下方に突き出したツール部材１の嵌合部１ｂに設けた嵌合溝６に、ホルダー部材４を嵌め込めば、ばね体２を支持したツール部材１を把持板３に取り付けておける。
【００４２】
このように構成されたこの発明のオフセット型ドライバーを使用するには、次のようにして行なう。
【００４３】
この発明のオフセット型ドライバーは、図４、５または図１１に示したように、ツール部材１の嵌合部１ｂが把持板３の嵌合孔５に嵌まり込んでいる位置にあり、ツール部材１のビット部１ｃが把持板３の下方に突き出した状態となっている。
【００４４】
そこで、この状態のオフセット型ドライバーの把持板３を片手で持ち、狭い作業空間に差し込む。
【００４５】
そして、この狭い作業空間にあるビス等の頭部の嵌合穴などに、ツール部材１のビット部１ｃの頭部を嵌め込み、把持板３を捩じ込み方向に何度も回転させることができる場合は、そのまま把持板３を捩じ込み方向に何度も回転させれば、そのビス等を捩じ込んでいくことができる。
【００４６】
しかし、前記狭い作業空間において、把持板３を捩じ込み方向に少しの角度ずつしか回転させて行けない場合には、その少しの角度、把持板３を回転させた後、ビス等の頭部の嵌合穴などに、ツール部材１のビット部１ｃの頭部を嵌め込んだまま、把持板３を手に持った状態で、ツール部材１の非嵌合部１ａの上端、または摘み体９の上端を指で下方に押さえると、図６、７または図１２に示したように、バネ部体２が縮んで、ツール部材１の嵌合部１ｂが把持板３の嵌合孔５から突き出し、ツール部材１の非嵌合部１ａが把持板３の嵌合孔５に位置することになる。
【００４７】
このようになると、把持板３を捩じ込み方向の反対方向に回転させても、ツール部材１が空回りするので、この把持板３を捩じ込み方向の反対方向に回転させて、元に位置に戻す。
【００４８】
そこで、ツール部材１の非嵌合部１ａの上端、または摘み体９の上端を下方に押さえている指の力を抜くと、バネ部体２が伸びて、図４、５または図１１に示したように、ツール部材１の嵌合部１ｂが把持板３の嵌合孔５に嵌まり込む位置に戻るので、再度、把持板３を捩じ込み方向に回転させれば、ビス等が捩じ込まれていく。
【００４９】
そして、上記した捩じ込み作業を繰り返せば、ビス等が徐々に捩じ込まれていくことになるので、この発明のオフセット型ドライバーは、狭い作業空間において、把持板３を捩じ込み方向に少しの角度ずつしか回転させて行けない場合にも、ビス等の頭部の嵌合穴などからツール部材１のビット部１ｃの頭部を外すことなく嵌め込んだまま、捩じ込み作業を行なえるので、その捩じ込み作業が非常にスムーズに行なうことができる。
【００５０】
なお、図１１に示したように、ツール部材１の上端に、このツール部材１を早回しするための摘み体９を設けたものとした場合には、この摘み体９を指で下方に押さえながら、ローレット加工した側部を指に引っ掛けて回せば早回しすることができる。したがって、ビス等を捩じ込んでいくときに強いトルクが作用するまでは、この摘み体９を早回しすることにより、ビス等の捩じ込み作業を行なっていけるので、その捩じ込み作業の効率がよくなる。
【００５１】
しかも、この発明のオフセット型ドライバーは、ラチェット機構を装着することなく、把持板３を一枚の板体で構成することにより、嵩の低いものとなったので、狭い作業空間に差し込み易く、作業がし易いものとなり、狭い作業空間においてのビス等の捩じ込み作業が非常にスムーズに行なうことができる。
【符号の説明】
【００５２】
１  ツール部材
１ａ  非嵌合部
１ｂ  嵌合部
１ｃ  ビット部
２  ばね体
２ａ  上端
２ｂ  下端
３  把持板
４  ホルダー部材
５  嵌合孔
６  嵌合溝
９  摘み体
【図１】
0006640469.tif 000002
【図２】
0006640469.tif 000003
【図３】
0006640469.tif 000004
【図４】
0006640469.tif 000005
【図５】
0006640469.tif 000006
【図６】
0006640469.tif 000007
【図７】
0006640469.tif 000008
【図８】
0006640469.tif 000009
【図９】
0006640469.tif 000010
【図１０】
0006640469.tif 000011
【図１１】
0006640469.tif 000012
【図１２】
0006640469.tif 000013
【図１３】
0006640469.tif 000014
【図１４】
0006640469.tif 000015
【図１５】
0006640469.tif 000016
【図１６】
0006640469.tif 000017
【図１７】
0006640469.tif 000018